【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
被検体内の検体濃度を測定するためのセンサシステムであって、
前記システムは、
被検体内の検体濃度を連続的に測定するように構成されたセンサと、
前記連続的な検体センサの作動中に前記連続的な検体センサに物理的に接続されたセンサ電子モジュールであって、前記センサ電子モジュールは、前記連続的な検体センサによって測定された検体濃度に関連するデータストリームを処理するようかつ前記データストリームの少なくとも一部に基づく検体濃度測定情報を送出するよう構成されている、センサ電子モジュールと、
電源と、
第１の状態にあるときに前記電源から前記センサ電子モジュールへの電力の供給を可能にし、かつ第２の状態にあるときに前記電源から前記センサ電子モジュールへの電力の供給がなされないように構成された、磁気スイッチと、
を備えるセンサシステム。
【請求項２】
前記電源は電池を具備してなり、かつ前記磁気スイッチは前記電池の出力端子に接続されている請求項1に記載のシステム。
【請求項３】
前記センサ電子モジュールとは非一体型のものでありかつ前記センサ電子モジュールを解放可能に保持するよう構成されたユニットをさらに具備してなり、それに取り付けられたマグネットを有する前記非一体型のユニットは、前記センサ電子モジュールが前記非一体型のユニットによって保持される場合に、第１の状態または第２の状態の一方に磁気スイッチを保持するよう構成されている請求項1に記載のシステム。
【請求項４】
前記磁気スイッチは、前記ハウジングが前記取り付けユニットに取り付けられるときに、前記第１の状態へ切り替えられるよう構成されている請求項3に記載のシステム。
【請求項５】
前記磁気スイッチは、前記ハウジングが前記取り付けユニットから取り外されるときに、前記第２の状態へ切り替えられるよう構成されている請求項3に記載のシステム。
【請求項６】
前記センサを収容するように構成された取り付けユニットをさらに具備してなり、前記取り付けユニットは、前記被検体の皮膚に近接して留置されるように構成されており、かつ前記センサ電子モジュールは、前記取り付けユニットに解放可能に取り付けられるよう構成されたハウジングを含む請求項1に記載のシステム。
【請求項７】
被検体内の検体濃度を測定するためのセンサシステムであって、
前記システムは、
被検体内の検体濃度を連続的に測定するように構成されたセンサと、
前記被検体内の検体濃度に関連する信号を提供するよう構成されたセンサ電子モジュールと、
前記電子モジュールに電力を供給するよう構成された電源と、
前記電源に対して動作可能に接続された近接スイッチであって、第１の状態と第２の状態との間で切り替えられるよう構成されている、近接スイッチと、
を具備してなり、
前記電源は、前記近接スイッチが前記第１の状態にある場合には第１の電源モードとなるように、かつ前記近接スイッチが前記第２の状態にある場合には第２の電源モードとなるように構成されており、前記第１の電源モードでは、前記第２の電源モードに比べて、前記センサ電子モジュールに対してより小さな電力が供給されるようになっているセンサシステム。
【請求項８】
前記電源は電池を具備してなり、かつ前記近接スイッチは、前記電池の出力端子に接続されたリードスイッチである請求項7に記載のシステム。
【請求項９】
前記センサ電子モジュールと係合するよう構成された別体のユニットをさらに具備してなり、それに取り付けられるマグネットを有する前記別体のユニットは、前記別体のユニットが前記センサ電子モジュールに係合するときに、前記近接スイッチの前記第１の状態または前記第２の状態のいずれかを保持するよう構成されている請求項7に記載のシステム。
【請求項１０】
前記センサを収容するよう構成された取り付けユニットをさらに具備してなり、前記取り付けユニットは、被検体の皮膚に近接して留置されるよう構成されており、前記センサ電子モジュールは、前記取り付けユニットに対して解放可能なように取り付けられるよう構成されたハウジングを含む請求項7に記載のシステム。
【請求項１１】
前記近接スイッチは、前記電子ユニットが前記ハウジングに取り付けられた際に前記第２の状態となるよう構成されている請求項7に記載のシステム。
【請求項１２】
前記近接スイッチは、前記電子ユニットが前記ハウジングから取り外された際に前記第１の状態となるよう構成されている請求項7に記載のシステム。
【請求項１３】
前記センサ電子モジュールは、前記センサ電子モジュールの電子機器を制御するよう構成されたプロセッサを具備してなり、かつ前記プロセッサは、前記第１の電源モードにあるときにはスリープモードとなるよう構成されている請求項7に記載のシステム。
【請求項１４】
前記電子機器は、ポテンショスタット、A/Dコンバータ、デジタルプロセッサ、およびトランスミッタを具備してなり、前記電子機器は、前記第１の電源モードにおいてはスイッチが切られた状態となっている請求項13に記載のシステム。
【請求項１５】
被検体内の検体濃度を測定するための方法であって、
前記システムは、
第１の電源モードから、第１の状態から第２の状態へと磁気スイッチを切り替えることによって前記第１の電源モードとは異なる第２の電源モードへと、センサ電子モジュールを切り替えるステップと、
被検体内の検体濃度を測定するように構成されたセンサに対して前記センサ電子モジュールを動作可能なように接続するステップであって、動作可能なように接続するステップは、前記センサを収容するよう構成されかつ前記被検体の皮膚に近接して留置されるように構成された取り付けユニットに対して前記センサ電子モジュールを解放可能なように取り付ける工程を具備する、動作可能なように接続するステップと、
を具備する方法。
【請求項１６】
前記センサ電子モジュールは、前記第１の電源モードにあるときにはスイッチが切られ、かつ前記センサ電子モジュールは、前記第２の電源モードにあるときにはスイッチが入るようになっている請求項15に記載のシステム。
【請求項１７】
前記センサ電子モジュールのプロセッサは、前記第１の電源モードにある場合にはスリープモードとなっており、かつ前記第２の電源モードとなっている場合には通常作動モードとなっている請求項15に記載のシステム。
【請求項１８】
前記磁気スイッチに動作可能に接続されているマグネットを有する非一体型のユニットに対して、前記センサ電子モジュールを解放可能に保持させるステップと、
前記センサ電子モジュールが前記非一体型のユニット内に保持されると同時に、前記第１の電源モードまたは前記第２の電源モードのいずれかに前記センサ電子モジュールが保持されるステップと、
を具備する請求項15に記載のシステム。
【請求項１９】
前記切り替えステップは、前記非一体型のユニットから前記センサ電子モジュールを取り外すステップをさらに具備しており、
前記取り外しステップは、前記磁気スイッチから前記マグネットを動作可能に非接続状態にする工程を具備し、かつ前記磁気スイッチを動作可能に非接続状態にする工程は、前記磁気スイッチを前記第２の状態へと切り替えさせる、請求項18に記載のシステム。
【請求項２０】
前記非一体型のユニットは、前記センサを収容するよう構成された取り付けユニットを具備してなり、前記取り付けユニットは前記被検体の皮膚に近接して留置されるように構成されており、
前記センサに対して前記センサ電子モジュールを動作可能に接続するステップは、前記取り付けユニットに対して前記センサ電子モジュールのハウジングを解放可能に保持するステップを具備する請求項18に記載のシステム。